(57)【特許請求の範囲】
【請求項１】
実験用動物の口腔内の粘膜に酸性溶液を塗布して又は注入して潰瘍を形成し、複数回、炭素成形体を有した口腔内接触部を備える口腔内マッサージ具を用いて口腔内マッサージを行い、その後、前記潰瘍を形成した前記粘膜の組織を摘出し、染色を行って、細胞周期関連タンパク質或いは熱ショックタンパク質の陽性反応を示す範囲を観察することよって、前記粘膜の組織の再生反応又は熱ストレスに対する防御反応を、口腔内マッサージの効果として評価することを特徴とする口腔内マッサージ効果評価方法。
【請求項２】
請求項１に記載の口腔内マッサージ効果評価方法において、
前記細胞周期関連タンパク質はＫｉ６７、前記熱ショックタンパク質はＨＳＰ２７又はＨＳＰ７０、であることを特徴とする口腔内マッサージ効果評価方法。
【発明の詳細な説明】
【技術分野】
【０００１】
本発明は、口腔内マッサージ具を用いた口腔内マッサージの効果を評価する口腔内マッサージ効果評価方法に関する。
【背景技術】
【０００２】
従来より、口腔内の健康を維持するために、歯茎や頬などの口腔内の粘膜をマッサージし血行を良くする口腔内マッサージが行われることが少なくない。その中で、本願発明者は、特許文献１において、歯茎の血行を促進することができる歯茎マッサージ具（口腔内マッサージ具）を提案した。
【先行技術文献】
【特許文献】
【０００３】
【特許文献１】国際出願ＷＯ２０１２／０６３８３５号公報
【発明の概要】
【発明が解決しようとする課題】
【０００４】
しかしながら、口腔内マッサージは、その効果の評価方法については確立したものはない。
【０００５】
本発明は、係る事由に鑑みてなされたものであり、その目的は、口腔内マッサージ具を用いた口腔内マッサージにおいて適切に効果を評価できる口腔内マッサージ効果評価方法を提供することにある。
【課題を解決するための手段】
【０００６】
上記目的を達成するために、請求項１に記載の口腔内マッサージ効果評価方法は、実験用動物の口腔内の粘膜に酸性溶液を塗布して又は注入して潰瘍を形成し、複数回、炭素成形体を有した口腔内接触部を備える口腔内マッサージ具を用いて口腔内マッサージを行い、その後、前記潰瘍を形成した前記粘膜の組織を摘出し、染色を行って、細胞周期関連タンパク質或いは熱ショックタンパク質の陽性反応を示す範囲を観察することよって、前記粘膜の組織の再生反応又は熱ストレスに対する防御反応を、口腔内マッサージの効果として評価することを特徴とする。
【０００７】
請求項２に記載の口腔内マッサージ効果評価方法は、請求項１に記載の口腔内マッサージ効果評価方法において、前記細胞周期関連タンパク質はＫｉ６７、前記熱ショックタンパク質はＨＳＰ２７又はＨＳＰ７０、であることを特徴とする。
【発明の効果】
【０００８】
本発明によれば、適切に効果を評価可能な口腔内マッサージ具を用いた口腔内マッサージ効果評価方法を提供することができる。
【図面の簡単な説明】
【０００９】
【図１】本発明の実施形態に係る口腔内マッサージ効果評価方法に使用する口腔内マッサージ具の断面を示すものであって、（ａ）が模式的断面図、（ｂ）が口腔内接触部の近傍の拡大断面図である。
【図２】同上の口腔内マッサージ具の外観を縮小して示すものであって、（ａ）が斜視図、（ｂ）が底面側から観察した斜視図である。
【図３】同上の口腔内マッサージ効果評価方法の実験の結果の写真を示すもので、検体ＡのＫｉ６７についてのものである。
【図４】同上の口腔内マッサージ効果評価方法の実験の結果の写真を示すもので、検体ＢのＫｉ６７についてのものである。
【図５】同上の口腔内マッサージ効果評価方法の実験の結果の写真を示すもので、検体ＣのＫｉ６７についてのものである。
【図６】同上の口腔内マッサージ効果評価方法の実験の結果の写真を示すもので、検体ＡのＨＳＰ２７についてのものである。
【図７】同上の口腔内マッサージ効果評価方法の実験の結果の写真を示すもので、検体ＢのＨＳＰ２７についてのものである。
【図８】同上の口腔内マッサージ効果評価方法の実験の結果の写真を示すもので、検体ＣのＨＳＰ２７についてのものである。
【図９】同上の口腔内マッサージ効果評価方法の実験の結果の写真を示すもので、検体ＡのＨＳＰ７０についてのものである。
【図１０】同上の口腔内マッサージ効果評価方法の実験の結果の写真を示すもので、検体ＢのＨＳＰ７０についてのものである。
【図１１】同上の口腔内マッサージ効果評価方法の実験の結果の写真を示すもので、検体ＣのＨＳＰ７０についてのものである。
【発明を実施するための形態】
【００１０】
以下、本発明を実施するための形態を説明する。本発明の実施形態に係る口腔内マッサージ効果評価方法は、口腔内マッサージ具１を用いた口腔内マッサージの効果を評価する方法である。
【００１１】
口腔内マッサージ具１は、口腔内接触部２を備えている。口腔内接触部２は、口腔内マッサージとして歯茎又は頬などの口腔内の粘膜に押し当てられ運動させられる部分である。口腔内接触部２は、主要部材として、炭素成形体２１を有している。
【００１２】
この炭素成形体２１は、焼成により高密度で整った炭素の結晶構造が形成されており、全体が一体的に形成されるものである。結晶構造は、全体的に方向が偏らずにほぼ等方になるようにすることができる。炭素成形体２１は、以下のようにして製造することができる。すなわち、黒鉛、又は炭化物（竹炭など）の炭素粉にバインダを５重量％程度加えて固め、水圧などで等方に加圧して所定の塊（例えば方形もの）に成形する。そして、酸素が欠乏した状態で加熱し、２５００〜３５００℃程度で長時間かけて焼成する。この状態で、原料の炭素粉同士は結合し炭素が結晶化（黒鉛化、定形炭素化）する。なお、バインダは昇温途中の１０００〜１２００℃程度で揮発させる。その後、加熱を止め、温度を下げ、所望の形状に加工する。このようにして出来あがった炭素成形体２１は、バインダが揮発しているので、ほぼ１００％（９９％以上）が炭素材となっている。また、かさ密度（かさ比重）は、１．７７Ｍｇ／ｍ３以上である。
【００１３】
炭素成形体２１は、全体が結晶構造により結合しているために、物理的強度が高く、また熱伝導率も高い（１００〜１４０Ｗ／（ｍ・Ｋ）程度）。また、放射する遠赤外線の量が多く、温度が高いほど多い。
【００１４】
炭素成形体２１は、その表面にダイヤモンドライクカーボン（ＤＬＣ）などの被膜２２（例えば、厚みが２〜４μｍ程度）が設けられている。また、炭素成形体２１は、形状が限定されるものではないが、図１（ａ）、（ｂ）に示すような略円柱状などが可能である。
【００１５】
口腔内マッサージ具１の全体は、以下に述べる構成が可能である。すなわち、口腔内マッサージ具１は、前述した口腔内接触部２と、把持部３と、発熱部４と、支持部５と、を備えている。図１（ａ）においては、把持部３の内部の構成について、電気機械部材とその電気配線（破線部分）を模式的に示している。
【００１６】
口腔内接触部２は、その主要部材である前述した炭素成形体２１が、発熱部４の熱を受けてその表面、すなわち口腔内の粘膜に接触させる部分まで伝達する。また、口腔内接触部２は、後述するように棒状の発熱部４の先端部の周りに回動可能状態で配置されている。炭素成形体２１には、発熱部４が挿入される挿入孔２１ａが中心軸のまわりに形成されている。また、口腔内接触部２は、付属部材として支持部５に回動自在に係合するための連結部材２３を有している。
【００１７】
把持部３は、長尺、すなわち略長筒状の箱体であり、外部からの操作が可能なように選択スイッチ３１を露設している。また、把持部３は、内部に、電気機械部材である電池３２、３２’、サーモスタット３３、モータ３４などを収容している。電池３２、３２’は、選択スイッチ３１の操作により、発熱部４を熱するために後述する発熱体４２に通電してそれを発熱させたり、発熱部４を振動させるためにモータ３４に通電して回転運動をさせたりする。モータ３４の回転運動は振動を生じさせ、その振動は振動伝達手段３４Ａを介して発熱部４に伝達される。選択スイッチ３１や電気機械部材、及びその電気配線は、仕様に合わせて、適宜変更することが可能である。また、サーモスタット３３は、口腔内接触部２の表面、すなわち口腔内の粘膜に接触する部分が適温になるように制御するためのものであり、温度検出部分が後述する熱伝導体４１に接触して配設されており、温度検出部分が検出する温度に従って、発熱体４２の通電を制御する。
【００１８】
発熱部４は、金属製などの熱伝導性が高い熱伝導体４１と、その内部に通電により熱を発生し熱伝導体４１を熱する発熱体４２と、を有している。発熱部４は、把持部３に固定され、その一端から延出している棒状のものである。発熱体４２は、例えば、絶縁体で被覆したニクロム線を熱伝導体４１の基端近傍から先端近傍まで往復させて配設したものを用いることができる。
【００１９】
支持部５は、口腔内接触部２を支持するものである。また、支持部５は、把持部３に取り付けられており、中心軸に沿って発熱部４が挿入される貫通孔が設けられている。
【００２０】
この口腔内マッサージ具１の使用方法は以下のとおりである。すなわち、使用者は、把持部３を手で持って選択スイッチ３１を操作し、発熱部４を熱し及び／又は振動させ、口腔内接触部２を口腔内に入れて歯茎又は頬などの粘膜に押し当てて適当な力で運動をさせることによってマッサージする。
【００２１】
選択スイッチ３１の操作により発熱部４が熱せられると、発熱部４の熱は口腔内接触部２の炭素成形体２１に伝導し、その温度は高くなる。炭素成形体２１は、口腔内の粘膜に、熱伝導により直に熱を伝えるとともに、温度が高くなるに従って量が多くなった遠赤外線を放射する。この遠赤外線は、口腔内の粘膜の深部を加温する。これら伝導熱と遠赤外線の輻射熱により口腔内の粘膜の温度は効率的に高められるので、口腔内接触部２による圧力との相乗効果により、口腔内の粘膜の血行をより促進することができるのである。
【００２２】
また、選択スイッチ３１の操作により発熱部４が振動すると、振動は口腔内接触部２を介して口腔内の粘膜に伝えられる。この振動によって、口腔内の粘膜の血行を更に促進することができる。
【００２３】
次に、以上説明した口腔内マッサージ具１を用いた口腔内マッサージの効果を評価する口腔内マッサージ効果評価方法を詳細に説明する。
【００２４】
この口腔内マッサージ効果評価方法は、先ず、ラットなどの実験用動物の口腔内の一部の粘膜（例えば、歯茎や頬など）に、酢酸などの酸性溶液を塗布して又は注射を用いて注入して潰瘍部を作製する。そして、日にちをかけて複数回、口腔内マッサージ具１を用いて口腔内マッサージを行う。その後、その潰瘍部の粘膜下の組織を摘出し、免疫染色やＨＥ染色などの染色を行って、Ｋｉ６７などの細胞周期関連タンパク質、或いは、ＨＳＰ２７又はＨＳＰ７０などの熱ショックタンパク質の陽性反応を示す範囲を観察する。それによって、粘膜下の組織の再生反応又は熱ストレスに対する防御反応を、口腔内マッサージの効果として評価する。なお、Ｋｉ６７は、活性化した細胞に観察されるものである。ＨＳＰ２７は、熱ストレスに対する防御反応を示すとされるものである。ＨＳＰ７０は、表皮の再生に関与するとされるものである。
【００２５】
このような口腔内マッサージ効果評価方法は、口腔内マッサージ具１を用いた口腔内マッサージの効果を適切に評価できる。
【００２６】
本願発明者が行った実験について、以下に述べる。この実験では、３匹の生後７週齢で雄のＳＤラットを検体Ａ、Ｂ、Ｃとして用いた。検体Ｂ、Ｃは、口腔内の頬に９９．７％酢酸を塗布し、そこに潰瘍部を作製した。検体Ａは、潰瘍部を作製していない。そして、検体Ｃは、潰瘍部作製時と潰瘍部作製から１日、２日、７日後に、それぞれ３分間、口腔内マッサージ具１の口腔内接触部２を、温度を３７℃にして振動させ、潰瘍部に当てて口腔内マッサージを行った。検体Ａ、Ｂは、口腔内マッサージを行っていない。その後、検体Ａ、Ｂ、Ｃについて潰瘍部の粘膜下の組織を摘出し、Ｋｉ６７、ＨＳＰ２７、ＨＳＰ７０について対応する免疫染色を行ってそれぞれの増加等の変化を観察した。図３〜１１に示すのは、観察の写真である。各々の写真は、１００倍率であり、Ｓｃａｌｅ  ｂａｒは２００μｍを示している。
【００２７】
図３、図４、図５はそれぞれ、検体Ａ、Ｂ、ＣにおけるＫｉ６７の陽性反応を示す写真である。図３では、検体ＡにおいてＫｉ６７の陽性反応を示す基底細胞層の細胞を破線で囲んで矢印Ａａで示している。
【００２８】
図４では、検体ＢにおいてＫｉ６７の陽性反応を示す基底細胞層の細胞を破線で囲んで矢印Ｂａで示している。検体Ｂは、酢酸による上皮組織の欠損、つまり潰瘍形成（図において実線で囲んで矢印Ｂｘで示す。）が認められ、基底細胞層の細胞は、Ｋｉ６７の陽性反応が乏しく、局在して観察される。なお、図４では、潰瘍部の粘膜下の炎症性細胞で増殖活性の高い細胞が陽性反応を示すことを矢印Ｂｙで示している。
【００２９】
図５では、検体ＣにおいてＫｉ６７の陽性反応を示す基底細胞層の細胞を破線で囲んで矢印Ｃａで示している。検体Ｃは、Ｋｉ６７の陽性反応を示す基底細胞層の細胞が広範囲に観察され、しかも、その一部（右側の部分）が上下方向にも広範囲に観察される。このように、検体Ｃは検体Ｂと比べ、Ｋｉ６７の陽性反応を示す範囲が顕著に広く観察される。
【００３０】
図６、図７、図８はそれぞれ、検体Ａ、Ｂ、ＣにおけるＨＳＰ２７の陽性反応を示す写真である。図６では、検体ＡにおいてＨＳＰ２７の陽性反応を示す有棘基底細胞層の細胞を破線で囲んで矢印Ａｂで示している。
【００３１】
図７では、検体ＢにおいてＨＳＰ２７の陽性反応を示す有棘基底細胞層の細胞を破線で囲んで矢印Ｂｂで示している。検体Ｂは、酢酸による上皮組織の欠損、つまり潰瘍形成（図において実線で囲んで矢印Ｂｘで示す。）が認められ、ＨＳＰ２７の陽性反応を示す有棘基底細胞層の細胞が局在して観察される。
【００３２】
図８では、検体ＣにおいてＨＳＰ２７の陽性反応を示す有棘基底細胞層の細胞を破線で囲んで矢印Ｃｂで示している。検体Ｃは、ＨＳＰ２７の陽性反応を示す有棘基底細胞層の細胞が広範囲に観察される。このように、検体Ｃは検体Ｂと比べ、ＨＳＰ２７の陽性反応を示す範囲が顕著に広く観察される。
【００３３】
図９、図１０、図１１はそれぞれ、検体Ａ、Ｂ、ＣにおけるＨＳＰ７０の陽性反応を示す写真である。図９では、検体ＡにおいてＨＳＰ７０の陽性反応を示す有棘基底細胞層の細胞を破線で囲んで矢印Ａｃで示している。
【００３４】
図１０では、検体ＢにおいてＨＳＰ７０の陽性反応を示す有棘基底細胞層の細胞を破線で囲んで矢印Ｂｃで示している。検体Ｂは、酢酸による上皮組織の欠損、つまり潰瘍形成（図において実線で囲んで矢印Ｂｘで示す。）が認められ、ＨＳＰ７０の陽性反応を示す有棘基底細胞層の細胞が局在して観察される。
【００３５】
図１１では、検体ＣにおいてＨＳＰ７０の陽性反応を示す有棘基底細胞層の細胞を破線で囲んで矢印Ｃｃで示している。検体Ｃは、ＨＳＰ７０の陽性反応を示す有棘基底細胞層の細胞が広範囲に観察される。このように、検体Ｃは検体Ｂと比べ、ＨＳＰ７０の陽性反応を示す範囲が顕著に広く観察される。
【００３６】
以上、本発明の実施形態に係る口腔内マッサージ効果評価方法について説明したが、本発明は、上述の実施形態に記載したものに限られることなく、特許請求の範囲に記載した事項の範囲内でのさまざまな設計変更が可能である。
【符号の説明】
【００３７】
１      口腔内マッサージ具
２      口腔内接触部
２１    炭素成形体
２１ａ  挿入孔
２２    被膜
３      把持部
３１    選択スイッチ
３２、３３、３４    電気機械部材
４      発熱部
５      支持部
【図１】
0006369899.tif 000002
【図２】
0006369899.tif 000003
【図３】
0006369899.tif 000004
【図４】
0006369899.tif 000005
【図５】
0006369899.tif 000006
【図６】
0006369899.tif 000007
【図７】
0006369899.tif 000008
【図８】
0006369899.tif 000009
【図９】
0006369899.tif 000010
【図１０】
0006369899.tif 000011
【図１１】
0006369899.tif 000012